(57)【要約】【課題】燃料電池システムにおいて、効果的に排気排水弁の昇温を行う。【解決手段】燃料電池１１と、反応後の燃料ガスの一部と水分とを大気に排出する排気排水弁３０と、燃料電池１１に冷却媒体を循環させる主冷媒流路１００と、冷却媒体を加圧する電動式の冷媒ポンプ４６と、冷媒ポンプ４６のモータ４７に駆動電力を供給する高電圧系統と、主冷媒流路１００から分岐して排気排水弁３０に冷却媒体を循環させる副冷媒流路２００と、高電圧系統と電動冷媒ポンプ４６との始動を行う制御部６１と、を備え、制御部６１は、高電圧系統の始動直後に電動冷媒ポンプ４６の始動を行う電動冷媒ポンプ始動手段を有する。【選択図】図１
2009129848.tif 000002
【特許請求の範囲】
【請求項１】
燃料ガスと酸化剤ガスとの電気化学反応により発電する燃料電池と、
燃料電池から排出される反応後の燃料ガスの一部と反応後の燃料ガスに含まれる水分とを大気に排出する排気排水弁と、
燃料電池に冷却媒体を循環させる主冷媒流路と、
主冷媒流路に設けられ、冷却媒体を加圧する電動冷媒ポンプと、
電動冷媒ポンプに駆動電力を供給する高電圧系統と、
主冷媒流路から分岐して排気排水弁と冷却媒体との間で熱交換するように排気排水弁の周囲に冷却媒体を流す副冷媒流路と、
高電圧系統と電動冷媒ポンプとの始動を行う制御部と、
を備える燃料電池システムであって、
制御部は、
高電圧系統の始動直後に電動冷媒ポンプの始動を行う電動冷媒ポンプ始動手段を有すること、
を特徴とする燃料電池システム。
【請求項２】
請求項１に記載の燃料電池システムであって、
燃料電池と排気排水弁との間に設けられ、反応後の燃料ガスに含まれる水分を分離する気液分離器と、
気液分離器の液溜めに滞留する滞留水の温度を検出する温度検出手段と、を備え、
電動冷媒ポンプ始動手段は、
温度検出手段によって検出した滞留水の温度が所定の温度よりも低い場合には、高電圧系統の始動直後に電動冷媒ポンプの始動を行うこと、
を特徴とする燃料電池システム。
【請求項３】
請求項１又は２に記載の燃料電池システムであって、
燃料電池の発電電力を検出する発電電力検出手段を備え、
制御部は、
発電電力検出手段によって検出した燃料電池の発電電力が所定の電力値よりも小さい場合には電動冷媒ポンプの回転数を所定回転数以下に制限する電動冷媒ポンプ回転数制限手段を有すること、
を特徴とする燃料電池システム。
【請求項４】
請求項１から３のいずれか１項に記載の燃料電池システムであって、
副冷媒流路に設けられる第１の冷媒温度センサと、第１の冷媒温度センサよりも下流側の副冷媒流路に設けられる第２の冷媒温度センサとを備え、
制御部は、
第１及び第２の冷媒温度センサによって検出される温度に基づいて電動冷媒ポンプの回転数を調整する電動冷媒ポンプ回転数調整手段を有すること、
を特徴とする燃料電池システム。
【請求項５】
請求項４に記載の燃料電池システムであって、
電動冷媒ポンプ回転数調整手段は、
第１と第２の冷媒温度センサによって検出される温度の検出ずれ時間に基づいて電動冷媒ポンプの回転数を調整すること、
を特徴とする燃料電池システム。
【発明の詳細な説明】
【技術分野】
【０００１】
本発明は、燃料電池システムの構造に関する。
【背景技術】
【０００２】
燃料電池では、例えば、燃料には水素、酸化剤としては酸素を含む空気が用いられ、電気化学反応によって発電がされると共に酸化剤極側に水が生成される。反応生成物の水は酸化剤としての空気と共に燃料電池の外部に排出されるが、生成された水の一部は、電解質膜を湿度雰囲気に保つため、加湿器によって燃料電池入口に再循環するシステムが多く用いられている。また、燃料極では、流路を流れている水素の一部が反応して消費されるので、水素ポンプによって水素を循環させる循環系統となっており、発電反応で消費された分の水素が外部の水素ガスタンクから水素の循環系統に供給されるようになっている。
【０００３】
このような燃料電池システムでは、空気中に含まれる電気化学反応に使用されない窒素が空気極の空気流路に滞留すると共に、拡散層及び電解質膜を通して水素極にクロスリークしてくる。また、発電のための電気化学反応によって空気極に生成される水分の一部が、拡散層及び電解質膜を通して水素極にクロスリークしてくる。このように、運転中の燃料電池の水素極には空気極から窒素及び水分がクロスリークしてくる状態となっている。
【０００４】
水素系統は上記のように循環系統となっていることから、運転中に水素系統に入り込んだ窒素や水分は次第に水素循環系統内に蓄積され、水素以外の不純物濃度が増加してくる。このように水素系統中の不純物が多くなってくると水素濃度が低下し、発電量が低下してしまう。そこで、水素系統には反応後の水素ガスや水分を系統外に排出する排気排水弁が設けられている場合が多い。また、反応後の水素ガス中に含まれる水分を効果的に排出するために、排気排水弁の手前に気液分離器を設け、気液分離器の液溜めに滞留させた水分を反応後の水素ガスとともに系統外に排出するように構成されている場合がある（例えば、特許文献１参照）。
【０００５】
一方、燃料電池は、低温環境下において停止した場合でも凍結しないようにケースに格納されている場合が多い。しかし、ケースの中に気液分離器や排気排水弁を配置するとケースが大型となり、燃料電池の車両への搭載性が低下してしまう。そこで、気液分離器や排気排水弁はケースの外部に設けられる場合が多く、低温環境下において燃料電池が停止状態となると排気排水弁に残留した水分が凍結して排気排水弁の開閉動作ができなくなったり、燃料電池の起動の際に、排気排水弁の上流側にある気液分離器に滞留した水分が停止状態では凍結していない低温状態の排気排水弁に流入して排気排水弁が凍結したりする場合がある。排気排水弁が凍結して開閉動作ができなくなると、燃料電池の起動の際に燃料極の水素濃度を上昇させることができなくなり、燃料電池の発電電力を維持することができなくなったり、起動時間が長くなったりするという問題があった。
【０００６】
このため、気液分離器にセンサを設けてその温度を検出して気液分離器の凍結を判断し、凍結していると判断された場合には、燃料電池を始動運転モードによって運転し、燃料電池に暖機用のガスを供給したり、燃料電池の暖機用ヒータ等を始動させたりして燃料電池の暖機を行って気液分離器の解凍を行い、気液分離器が凍結していないと判断された場合には、燃料電池を通常の運転モードによって起動する方法が提案されている（たとえば、特許文献２参照）。
【０００７】
また、燃料電池の起動の際に燃料電池の供給する空気圧縮機によって空気を断熱圧縮して温度を上昇させ、その温度の上昇した空気を排気排水弁に吹き付けて排気排水弁を解凍する方法が提案されている（例えば、特許文献３参照）。
【０００８】
【特許文献１】特開２００７−１５７６００号公報
【特許文献２】特開２００６−１４７４１４号公報
【特許文献３】特開２００２−３１３３８９号公報
【発明の開示】
【発明が解決しようとする課題】
【０００９】
しかし、特許文献２に記載された従来技術は、燃料電池を暖機することによって排気排水弁を解凍するものであり、直接排気排水弁の加温、解凍を行うものではないので、排気排水弁の解凍に時間がかかり燃料電池の起動が遅れてしまうという問題がある。また、特許文献３に記載された従来技術は、排気排水弁の加温を行う空気は、低温環境下の低温の外気を圧縮によって加温したものであり、温度が低くなるほど加温用空気の温度が低下してしまうので、外気温度が低くなるほど排気排水弁の加温、解凍に時間がかかり、燃料電池の起動時間が長くなってしまうという問題があった。また、特許文献３に記載された従来技術は、暖機ボックスに格納した排気排水弁に加温した空気を吹き付けるように構成しているので、暖機ボックスの分、燃料電池システムが大型化してしまい、車両などへの搭載性が低下してしまうという問題があった。
【００１０】
また、特許文献３に記載された従来技術では、燃料電池に空気を供給する空気圧縮機によって加圧、加温された空気を排気排水弁の加温に用いるので、燃料電池システムを起動させ、システムチェックをした後でないと排気排水弁に加温用空気の送気を始めることができない。このため、排気排水弁の加温、解凍に時間がかかり、燃料電池の始動に時間がかかってしまうという問題があった。
【００１１】
本発明は、効果的に排気排水弁の昇温を行うことを目的とする。
【課題を解決するための手段】
【００１２】
本発明の燃料電池システムは、燃料ガスと酸化剤ガスとの電気化学反応により発電する燃料電池と、燃料電池から排出される反応後の燃料ガスの一部と反応後の燃料ガスに含まれる水分とを大気に排出する排気排水弁と、燃料電池に冷却媒体を循環させる主冷媒流路と、主冷媒流路に設けられ、冷却媒体を加圧する電動冷媒ポンプと、電動冷媒ポンプに駆動電力を供給する高電圧系統と、主冷媒流路から分岐して排気排水弁と冷却媒体との間で熱交換するように排気排水弁の周囲に冷却媒体を流す副冷媒流路と、高電圧系統と電動冷媒ポンプとの始動を行う制御部と、を備える燃料電池システムであって、制御部は、高電圧系統の始動直後に電動冷媒ポンプの始動を行う電動冷媒ポンプ始動手段を有すること、を特徴とする。
【００１３】
本発明の燃料電池システムにおいて、燃料電池と排気排水弁との間に設けられ、反応後の燃料ガスに含まれる水分を分離する気液分離器と、気液分離器の液溜めに滞留する滞留水の温度を検出する温度検出手段と、を備え、電動冷媒ポンプ始動手段は、温度検出手段によって検出した滞留水の温度が所定の温度よりも低い場合には、高電圧系統の始動直後に電動冷媒ポンプの始動を行うこと、としても好適である。
【００１４】
本発明の燃料電池システムにおいて、燃料電池の発電電力を検出する発電電力検出手段を備え、制御部は、発電電力検出手段によって検出した燃料電池の発電電力が所定の電力値よりも小さい場合には電動冷媒ポンプの回転数を所定回転数以下に制限する電動冷媒ポンプ回転数制限手段を有すること、としても好適である。
【００１５】
本発明の燃料電池システムにおいて、副冷媒流路に設けられる第１の冷媒温度センサと、第１の冷媒温度センサよりも下流側の副冷媒流路に設けられる第２の冷媒温度センサとを備え、制御部は、第１及び第２の冷媒温度センサによって検出される温度に基づいて電動冷媒ポンプの回転数を調整する電動冷媒ポンプ回転数調整手段を有すること、としても好適である。また、電動冷媒ポンプ回転数調整手段は、第１と第２の冷媒温度センサによって検出される温度の検出ずれ時間に基づいて電動冷媒ポンプの回転数を調整すること、としても好適である。
【発明の効果】
【００１６】
本発明は、効果的に排気排水弁の昇温を行うことができるという効果を奏する。
【発明を実施するための最良の形態】
【００１７】
以下、本発明の好適な実施形態について、図面を参照しながら説明する。図１に示すように、本実施形態の燃料電池システム１０は酸化剤ガスとして酸素を含む空気を用い、燃料ガスとして水素を用いている。酸化剤ガスである空気は大気から吸気流量計や空気フィルタを介して空気吸込み管１４からモータ１６によって駆動される空気圧縮機１５に吸い込まれ、空気圧縮機１５によって加圧された吐出空気は空気供給管１７から燃料電池１１に供給される。燃料電池１１の酸化剤極である空気極１２から燃料電池１１内に入った空気は、水素系統から供給された水素との発電反応によって酸素が減少する。そして反応の結果の生成水が水蒸気あるいは水滴として空気中に増えてくる。反応後の水分量が増加した空気は燃料電池１１の空気排出管１８に排出され、大気放出口１９から大気に放出される。
【００１８】
燃料ガスである水素ガスは水素ガスタンク２１に貯留されている。水素は水素ガスタンク２１から水素供給管２３によって燃料電池１１の燃料極である水素極１３に供給される。燃料電池１１に供給された水素の一部は空気極１２に供給された酸化剤である空気中の酸素と反応して消費されるが、消費されなかった水素は空気極からクロスリークして来た窒素や水分と共に水素極１３の水素排出管２４から排出された後、気液分離器２７に流入する。気液分離器２７は水素排出管２４よりも流路断面積が大きく、流入した水分は重力によって下方に分離され、気液分離器２７の重力方向下側に設けられた液溜め２８に滞留し、水素、窒素等の気体成分は、気液分離器２７の上部から水素循環ポンプ２６に吸い込まれるよう構成されている。気液分離器２７から水素循環ポンプ２６に吸い込まれた気体は水素再循環管２５を通って水素供給管２３に再循環される。発電によって消費された水素分は水素ガスタンク２１から水素供給管２３に補充される。補充される水素ガスの量は水素供給弁２２によって調節される。長時間運転していると空気極１２からクロスリークしてくる窒素や水分などの不純物が水素系統内や気液分離器２７の液溜め２８に溜まってくる。そこで、このような水分や窒素がある程度溜まってくると、水素排出管２４に接続された水素系大気放出管３１の排気排水弁３０を開として気液分離器２７の液溜め２８に溜まった水と共に所定量の反応後の水素ガスを水素系大気放出管３１から外気に放出する。この場合は、高濃度の水素ガスを直接大気に放出することがないように、混合器３３によって排気空気と混合してから大気に放出するようになっている。気液分離器２７の液溜め２８には滞留水の温度を測定する滞留水温度センサ３６が設けられている。
【００１９】
燃料電池１１は、内部で水素と空気中の酸素とが反応すると反応熱が発生し、その温度が上昇する。燃料電池１１は通常７０−８０℃の温度範囲での運転が発電効率の良くなる温度であることから、燃料電池１１に冷却媒体を通してその温度をコントロールするよう構成されている。冷却媒体は水に添加成分を入れて凍結しないようにしたロングライフクーラント等が用いられる。ラジェータ４１によって低温の外気と熱交換して温度の低下した冷却媒体は、冷媒ポンプ４６によって加圧されて冷媒供給管４３から燃料電池１１に供給される。燃料電池１１に供給された冷却媒体は燃料電池１１内部に設けられた冷媒流路を流れて燃料電池１１の熱を吸収し、温度が上昇して冷媒戻り管４５に流出する。温度の上昇した冷却媒体は冷媒戻り管４５から三方弁４９を通ってラジェータ４１に戻り、再びラジェータ４１によって冷却されて燃料電池１１に供給される。また、ラジェータ４１にはバイパス管４４が平行して設けられており、燃料電池１１から流出した冷却媒体の温度によって、ラジェータ４１によって冷却媒体を冷却せずに燃料電池１１に循環させたり、冷却媒体の一部をラジェータ４１に通して冷却したりして燃料電池１１に供給される冷却媒体温度を調整することができるよう構成されている。上記の燃料電池１１の冷却流路と、冷媒供給管４３と、冷媒戻り管４５と、ラジェータ４１又はバイパス管４４と、は冷却媒体を燃料電池１１に循環させる主冷媒流路１００を構成する。
【００２０】
冷媒ポンプ４６はモータ４７によって駆動される電動ポンプであり、モータ４７は例えば二次電池などの高電圧電源５５に接続され、高電圧電源５５から駆動電力が供給されるよう構成されている。冷媒ポンプ４６にはその回転数を検出する回転数センサ４８が取付けられている。
【００２１】
冷媒ポンプ４６と燃料電池１１との間の冷媒供給管４３には、主冷媒流路１００である冷媒供給管４３から分岐して排気排水弁３０の周囲に設けられた冷媒ジャケット５３に接続され、冷媒ジャケット５３に冷却媒体を供給する副冷媒供給管５１と、冷媒供給管４３の副冷媒供給管５１の分岐点よりも燃料電池１１の側にある合流点と冷媒ジャケット５３とを接続し、冷媒ジャケット５３から冷却媒体を冷媒供給管４３に戻す副冷媒戻り管５２とが設けられている。副冷媒供給管５１と冷媒ジャケット５３と副冷媒戻り管５２とは副冷媒流路２００を構成する。副冷媒供給管５１には冷媒ジャケット５３に供給される冷却媒体の温度を検出する第１冷媒温度センサ３４が設けられ、副冷媒戻り管５２には冷媒ジャケット５３から流出する冷却媒体の温度を検出する第２冷媒温度センサ３５が設けられている。冷媒ジャケット５３は排気排水弁３０の周囲に設けられ、冷却媒体が流れる冷媒流路であって、内部を流れる冷却媒体と排気排水弁３０とが熱交換することができるよう構成されている。また、冷媒ジャケット５３は排気排水弁３０と熱交換ができるものであれば、例えば、排気排水弁３０の周囲に配置した細い配管であってもよい。
【００２２】
燃料電池１１は保温性のあるケース５７の中に収納されているが、気液分離器２７、排気排水弁３０はケースの外に配置されている。また、燃料電池１１の空気極１２と水素極１３には、外部の負荷と接続される電気出力ケーブル５８，５９が接続されている。そして電気出力ケーブル５９には燃料電池１１からの出力電流を検出する電流センサ７１が設けられ、電気出力ケーブル５８，５９の間には燃料電池１１の出力電圧を検出する電圧センサ７２が設けられている。電流センサ７１と電圧センサ７２とは、燃料電池１１の発電電力を検出する発電電力検出手段を構成する。
【００２３】
燃料電池システム１０は内部にＣＰＵを備えるコンピュータである制御部６１を備えている。高電圧電源５５、モータ４７、三方弁４９、回転数センサ４８、滞留水温度センサ３６、第１冷媒温度センサ３４、第２冷媒温度センサ３５、電流センサ７１、電圧センサ７２はそれぞれ制御部６１に接続され、制御部６１に信号を入力したり、制御部６１からの指令によって動作したりするよう構成されている。
【００２４】
また、燃料電池システム１０には、燃料電池システム１０の起動、停止を行うスイッチ５６が設けられている。このスイッチ５６は例えば、燃料電池システム１０を搭載している車両のイグニッションキー等であってもよい。スイッチ５６は、少なくとも、ＯＦＦと第１位置と第２位置との３つのポジションを持っているもので、ＯＦＦポジションは燃料電池システム１０全体を停止状態とする位置で、第１位置は燃料電池システム１０の低電圧系統を通電状態とする位置であり、第２位置は燃料電池システム１０の高電圧系統を通電状態として燃料電池システム１０が運転できる状態とする位置である。低電圧系統は、制御部６１或いは補機類を駆動する例えば１２Ｖ以下の電圧系統であり、高電圧系統は燃料電池システム１０の主要機器、例えば、空気圧縮機用のモータ１６、冷媒ポンプ用のモータ４７などを駆動する例えば２００Ｖの電圧系統である。スイッチ５６は制御部６１に接続され、制御部６１はそのポジション信号によって燃料電池システム１０の各電圧系統のオン、オフを行うよう構成されている。また、スイッチ５６は、ＯＦＦ、第１位置、第２位置と切り替わるロータリー式のスイッチでＯＦＦから直接第２位置には切り替わらないようなスイッチである。
【００２５】
上記のように構成された燃料電池システム１０の動作について説明する。運転者などによってスイッチ５６がＯＦＦ位置から第１位置に切り替えられると、燃料電池システム１０がスタートする。スイッチ５６が第１位置となると低電圧系統がオンとなり、制御部６１或いは各センサやコントローラなどが通電状態となり、各部のセンサの信号が制御部６１に入力され、制御部６１はその信号の処理をすることができる状態となっている。
【００２６】
図２のステップＳ１０１に示すように、制御部６１は、滞留水温度センサ３６から気液分離器２７の液溜め２８に滞留している滞留水の温度信号を取得する。そして、図２のステップＳ１０２に示すように、制御部６１は、取得した滞留水の温度と所定の温度、例えば、５℃とを比較する。そして滞留水の温度が例えば５℃よりも低い場合には気液分離器２７の液溜め２８の滞留水は過冷却状態にあり、排気排水弁３０に流入した際に排気排水弁３０を凍結させる可能性があるものと判断する。
【００２７】
運転者等によってスイッチ５６の位置が第２位置に切り替えられると、その信号が制御部６１に入力される。制御部６１は、高電圧系統のリレー等を起動して、高電圧系統に接続されている各機器に高電圧電源５５からの電力を供給できるような状態とする。そして、図２のステップＳ１０３に示すように、制御部６１は全てのリレー等を起動したら高電圧系統が起動して、高電圧電源５５から電力供給ができる状態となっていると判断する。全てのリレー等が起動していない場合には、リレー等が起動して高電圧系統が起動するまで待機する。そして、高電圧系統が起動したと判断すると、制御部６１は図２のステップＳ１０４に示すように、冷媒ポンプ４６を起動する。具体的には、制御部６１は、冷媒ポンプ４６を駆動するモータ４７に対して起動指令を出力してモータ４７を起動する。
【００２８】
図２のステップＳ１０５に示すように、冷媒ポンプ４６のモータ４７を起動したら、制御部６１は、電流センサ７１と電圧センサ７２からの信号を取得して燃料電池１１からの発電電力を算出する。そして、図２のステップＳ１０６に示すように、燃料電池１１からの発電電力と所定の電力値とを比較して、燃料電池１１の発電状態を判断する。
【００２９】
冷媒ポンプ４６のモータ４７を起動した段階では、制御部６１は燃料電池１１の空気系統、燃料系統のシステムチェックを終了していないので、まだ発電の開始指令を出力していない。このため空気圧縮機１５も起動していないので、冷媒ポンプ４６を高い回転数で運転すると運転者等はその振動、騒音に不快感を持ってしまう。そこで、制御部６１は、燃料電池１１が発電開始前の場合には冷媒ポンプ４６の回転数を制限する。具体的には、発電開始前は、燃料電池１１からの出力電流はゼロあり、電流センサ７１が検出する電流もゼロとなるので、燃料電池１１からの発電電力はゼロであり、所定の電力値よりも小さくなるので、制御部６１は、図２のステップＳ１０７に示すように、冷媒ポンプ４６の回転数を例えば、１６００ｒｐｍ以下の回転数に制限する。冷媒ポンプ４６の回転数は冷媒ポンプにより発生する振動、騒音によって運転者等が不快と感じない程度の回転数であれば１６００ｒｐｍよりも大きくしてもよい。また、冷媒ポンプ４６をこの制限された回転数よりも遅い回転数で運転することとしてもよい。
【００３０】
上記のように、制御部６１の指令によって冷媒ポンプ４６が始動し、所定の回転数に達すると、冷媒ポンプ４６は冷却媒体を加圧して主冷媒流路１００、及び副冷媒流路２００に冷却媒体を循環させる。冷媒ポンプ４６によって加圧された冷却媒体は、冷媒供給管４３から副冷媒供給管５１を通って排気排水弁３０の周囲の冷媒ジャケット５３の中を通り、副冷媒戻り管５２を通って冷媒供給管４３に戻る。そして、冷媒供給管４３を流れてきた冷却媒体と合流して冷媒供給管４３から燃料電池１１内部の冷媒流路に流れていく。
【００３１】
燃料電池１１は保温性のあるケース５７の中に格納されているので、燃料電池１１内部に滞留している冷却媒体は燃料電池１１の停止後も温度が高い状態に保たれている。このため、燃料電池１１の冷媒流路に冷却媒体を流入させると、流入した冷却媒体は燃料電池１１の冷媒流路の中に滞留している温度の高い冷却媒体を押し出す。温度の高い冷却媒体は、燃料電池１１の冷媒流路から冷媒戻り管４５に流出する。燃料電池１１の起動状態では燃料電池１１自体の温度は運転状態よりも低い温度となっているので、三方弁４９はバイパス管４４側に開いており、冷媒戻り管４５に流出した温度の高い冷却媒体は、ラジェータ４１を通らずにバイバス管４４を通って冷媒ポンプ４６に戻ってくる。このため、燃料電池１１の冷媒流路に滞留していた温度の高い冷却媒体はラジェータ４１で冷却されること無く冷媒ポンプ４６に吸い込まれて加圧され、再び冷媒供給管４３に流出していく。そして、燃料電池１１の冷媒流路に滞留していた温度の高い冷却媒体は冷媒供給管４３から副冷媒供給管５１を通って排気排水弁３０の周囲の冷媒ジャケット５３に流入して排気排水弁３０と熱交換して排気排水弁３０を昇温させる。冷媒ジャケット５３を通った冷却媒体は、副冷媒戻り管５２から冷媒供給管４３に戻り、燃料電池１１の中を循環する。
【００３２】
このように、冷媒ポンプ４６によって冷却媒体を主冷媒流路１００と副冷媒流路２００とに循環させることによって、副冷媒流路２００に設けられている排気排水弁３０の冷媒ジャケット５３に温度の高い冷媒を流して排気排水弁３０の昇温を行うことができる。
【００３３】
排気排水弁３０の昇温を行いながら、制御部６１は燃料電池システム１０の発電系統のシステムチェックを行ない、システムチェックが終了すると、制御部６１は空気圧縮機１５を起動して空気極１２を加圧すると共に、水素供給弁２２を開として水素極１３を加圧し、発電を開始する。発電が開始されると、冷媒ポンプ４６よりも振動、騒音の大きな空気圧縮機１５などの他の主要機器が起動されるので、運転者等にとって冷媒ポンプ４６自体の振動、騒音は気にならなくなる。そこで、制御部６１は、図２のステップＳ１０６に示すように、電流センサ７１と電圧センサ７２から取得した信号によって計算した燃料電池１１の発電電力が所定の値よりも大きくなった場合には、図２のステップＳ１０８に示すように冷媒ポンプ４６の回転数の制限をすることなく、排気排水弁３０をより昇温させる昇温回転数まで冷媒ポンプ４６の回転数を上昇させて、排気排水弁３０をより効率的に昇温させる。
【００３４】
制御部６１は、所定の時間だけ冷媒ポンプ４６を昇温運転したら、冷媒ポンプ４６による排気排水弁３０の昇温動作を停止する。或いは排気排水弁３０に温度センサを取付けておき、この温度センサが所定の温度以上となった場合に排気排水弁３０の昇温動作を停止することとしても良い。
【００３５】
以上述べた、本実施形態は、燃料電池システム１０のスイッチ５６が第２位置に切り替えられて、高電圧系統が始動した直後で、空気圧縮機１５などが起動する前であっても、冷媒ポンプ４６を起動し、燃料電池１１の内部に滞留している温度の高い冷却媒体を排気排水弁３０の周囲に流して排気排水弁３０と熱交換させることによって排気排水弁３０を昇温することができるので、燃料電池システム１０の始動初期の段階から排気排水弁３０の昇温を効果的に行うことができるという効果を奏する。また、燃料電池１１の発電が開始されるまでは、冷媒ポンプ４６の回転数を制限し、燃料電池１１の発電が開始されてから冷媒ポンプ４６の回転数を上昇させることとしているので、運転者等が、冷媒ポンプ４６の振動、騒音に対する不快感を抑制しつつ効果的に冷媒ポンプ４６を起動して排気排水弁３０の昇温を行なうことができるという効果を奏する。また、燃料電池１１のケース５７の外に排気排水弁３０を配置している場合であっても効果的に排気排水弁３０の昇温ができることから、燃料電池システム１０が大型化することなく、車両への搭載性を確保しつつ効果的に排気排水弁３０の昇温を行うことができるという効果を奏する。
【００３６】
また、本発明の実施形態において、副冷媒流路２００を流れる冷却媒体の流量は少ない流量であること及び、副冷媒流路２００の流量は冷媒供給管４３の副冷媒供給管５１の分岐点と冷媒供給管４３と副冷媒戻り管５２の合流点の間の圧力損失と、副冷媒流路２００の圧力損失との比率によって決まってくることから、流量計測のための装置を副冷媒流路２００に配置することによって副冷媒流路２００の圧力損失が増加すると更に副冷媒流路２００の流量が低下してしまう。このため、副冷媒供給管５１に設けた第１冷媒温度センサ３４と副冷媒戻り管５２に設けた第２冷媒温度センサ３５によって流量を計算し、副冷媒流路２００の流量が所定の流量となるように冷媒ポンプ４６の回転数を制御している。
【００３７】
先に述べたように、冷媒ポンプ４６が駆動すると、冷却媒体は冷媒供給管４３から副冷媒供給管５１に流れ、排気排水弁３０に設けられた冷媒ジャケット５３を通り、副冷媒戻り管５２から冷媒供給管４３に戻ってくる。そして、冷媒ジャケット５３の冷却媒体の温度は次第に燃料電池１１の内部に滞留していた温度の高い冷却媒体となってくるので、第１冷媒温度センサ３４、第２冷媒温度センサ３５の検出する各冷媒温度は、それぞれ図３の曲線ａ、及び曲線ｂのようになる。すなわち、第１冷媒温度センサ３４、第２冷媒温度センサ３５の検出する各温度は、時間と共に上昇し、しかもその温度は冷却媒体が第１冷媒温度センサ３４の位置から第２冷媒温度センサ３５まで流れて移動する時間だけずれたものとなっている。このため、図３に示すように所定の温度、例えば、第１冷媒温度センサ３４が所定の温度Ｔ’に達してから、第２冷媒温度センサ３５が所定の温度Ｔ’に達するまでの時間Δｔは、副冷媒流路２００を流れる冷却媒体の流速に比例する。制御部６１はΔｔに流路断面積によって決まる所定の係数を掛けることによって、副冷媒流路２００に流れている冷却媒体の流量を取得し、その計測流量が所定の流量となるように冷媒ポンプ４６の回転数を調整する。
【００３８】
このように、制御部６１は、第１、第２冷媒温度センサ３４，３５によって取得した温度に基づいて副冷媒流路２００に所定の流量の冷却媒体が流れるように冷媒ポンプ４６の回転数を調整することができるという効果を奏する。また、第１、第２冷媒温度センサ３４，３５の出力によって、副冷媒流路２００に流れている冷客媒体の流量を測定することができることから、副冷媒流路２００の圧力損失を抑制しつつ小流量の測定をすることができるという効果を奏する。
【００３９】
本実施形態では、第１、第２冷媒温度センサ３４，３５はそれぞれ副冷媒供給管５１、副冷媒戻り管５２に取付けられていることとして説明したが、第１、第２冷媒温度センサは、副冷媒流路を流れる冷却媒体の移動による冷却媒体の温度の時間ずれの測定をすることができるよう、副冷媒流路２００の流れ方向に沿って上流側と下流側に取付けられていれば、第１、第２冷媒温度センサ３４，３５を副冷媒供給管５１の上流側と下流側とに取付けても良いし、副冷媒戻り管５２の上流側と下流側とに取付けるようにしてもよい。
【図面の簡単な説明】
【００４０】
【図１】本発明の実施形態における燃料電池システムの系統構成を示す図である。
【図２】本発明の実施形態における燃料電池システムの起動の際の動作を示すフローチャートである。
【図３】本発明の実施形態における燃料電池システムの副冷媒流路の温度変化を示す図である。
【符号の説明】
【００４１】
１０  燃料電池システム、１１  燃料電池、１２  空気極、１３  水素極、１４  空気吸込み管、１５  空気圧縮機、１６，４７  モータ、１７  空気供給管、１８  空気排出管、１９  大気放出口、２１  水素ガスタンク、２２  水素供給弁、２３  水素供給管、２４  水素排出管、２６  水素循環ポンプ、２７  気液分離器、２８  液溜め、３０  排気排水弁、３１  水素系大気放出管、３３  混合器、３４  第１冷媒温度センサ、３５  第２冷媒温度センサ、３６  滞留水温度センサ、４１  ラジェータ、４３  冷媒供給管、４４  バイパス管、４５  冷媒戻り管、４６  冷媒ポンプ、４７  モータ、４８  回転数センサ、４９  三方弁、５１  副冷媒供給管、５２  副冷媒戻り管、５３  冷媒ジャケット、５５  高電圧電源、５６  スイッチ、５７  ケース、５８，５９  電気出力ケーブル、６１  制御部、７１  電流センサ、７２  電圧センサ、１００  主冷媒流路、２００  副冷媒流路、ａ，ｂ  曲線、Ｔ’  温度、Δｔ  時間。
【図１】
2009129848.tif 000003
【図２】
2009129848.tif 000004
【図３】
2009129848.tif 000005